(57)【要約】流体透過性トップシートと、第２吸収体コアとは別個のものであり、かつ流体連通している第１吸収体コアとを含む吸収性物品が提供される。第２吸収体コアは、第３吸収体コアとは別個のものであり、かつこれに流体連通している。第１、第２及び第３吸収体コアは、流体透過性トップシートと流体不透過性バックシートとの間に支持される。第２吸収体コアは、流体連通した状態の少なくとも２つの別個の吸収体コア区域を定める。別個の吸収体コア区域は、流体透過性トップシートと係合する身体対向面を定める。
2005527298.tif 000002
【特許請求の範囲】
【請求項１】
流体透過性トップシートと、
第１吸収体コアと、
を備え、前記第１吸収体コアは、第２吸収体コアとは別個のものであり、かつ該第２吸収体コアに流体連通しており、前記第２吸収体コアは、第３吸収体コアとは別個のものであり、かつ該第３吸収体コアに流体連通しており、
前記第１、第２及び第３吸収体コアは、前記流体透過性トップシートと流体不透過性バックシートとの間に支持されており、
前記第２吸収体コアは、流体連通した状態の少なくとも２つの別個の吸収体コア区域を定め、前記別個の吸収体コア区域は、前記流体透過性トップシートと係合する身体対向面を定めることを特徴とする吸収性物品。
【請求項２】
前記第１、第２及び第３吸収体コアが、縦方向に前記吸収性物品に沿って配置されることを特徴とする請求項１に記載の吸収性物品。
【請求項３】
前記別個の吸収体コア区域が、前記吸収性物品の縦方向長さを実質的に横断する軸線に沿って配置されることを特徴とする請求項１に記載の吸収性物品。
【請求項４】
前記トップシート及び前記バックシートは、前記吸収体コアの間に流体透過性チャネルを定めることを特徴とする請求項１に記載の吸収性物品。
【請求項５】
前記トップシート及び前記バックシートは、前記別個の吸収体コア区域の間に流体透過性チャネルを定めることを特徴とする請求項１に記載の吸収性物品。
【請求項６】
前記身体対向面が捕集フィルムを含むことを特徴とする請求項１に記載の吸収性物品。
【請求項７】
前記捕集フィルムが、流体の流れを促進するために形成されることを特徴とする請求項６に記載の吸収性物品。
【請求項８】
前記トップシート及び前記バックシートが、接合されて前記吸収性物品の縦方向側部を形成し、前記吸収体コアが、前記縦方向側部と整列された状態で配置されることを特徴とする請求項２に記載の吸収性物品。
【請求項９】
前記縦方向側部が弾性部材を含むことを特徴とする請求項８に記載の吸収性物品。
【請求項１０】
前記透過性チャネルが、身体に対する前記吸収性物品の可撓性を促進するように構成されることを特徴とする請求項４に記載の吸収性物品。
【請求項１１】
前記透過性チャネルが、身体に対する前記吸収性物品の可撓性を促進するように構成されることを特徴とする請求項５に記載の吸収性物品。
【請求項１２】
前記別個の吸収体コア区域が、両側の凹面側部を有する中央区域と、前記中央区域の両側の凹面側部に隣接して配置された凸面側部を有する対をなす両側の横区域とを含むことを特徴とする請求項１に記載の吸収性物品。
【請求項１３】
縦方向長さを定める吸収性物品であって、
流体透過性トップシートと、
第１吸収体コアと、
を備え、前記第１吸収体コアは、中央の第２吸収体コアの側部に隣接して配置され、かつ前記第２吸収体コアに対して前記縦方向長さに沿ってピボット運動可能であり、前記第１吸収体コアは、前記第２吸収体コアとは別個のものであり、かつ該第２吸収体コアに流体連通しており、
前記第２吸収体コアの反対側の側部に隣接して第３吸収体コアが配置され、前記第２吸収体コアに対して前記縦方向長さに沿ってピボット運動可能であり、前記第３吸収体コアは、前記第２吸収体コアとは別個のものであり、かつ該第３吸収体コアに流体連通しており、
前記第１、第２及び第３吸収体コアは、前記流体透過性トップシートと流体不透過性バックシートとの間に囲まれており、
前記第２吸収体コアは、中央区域と、前記中央区域の両側に配置された横区域とを有し、前記中央区域及び横区域は、別個のものであり、流体連通しており、かつ前記流体透過性トップシートと係合する身体対向面を定めることを特徴とする吸収性物品。
【請求項１４】
前記第１吸収体コア及び前記第２吸収体コアは、身体との係合を促進するために、前記第２吸収体コアに対して協同的にピボット運動可能であるように構成されることを特徴とする請求項１３に記載の吸収性物品。
【請求項１５】
前記トップシート及び前記バックシートが、前記吸収体コア、並びに前記中央区域及び横区域間に流体透過性チャネルを定め、前記流体透過性チャネルは、身体に対する前記吸収性物品の可撓性を促進するように構成されることを特徴とする請求項１３に記載の吸収性物品。
【請求項１６】
前記身体対向面が捕集フィルムを含むことを特徴とする請求項１３に記載の吸収性物品。
【請求項１７】
前記弾性部材が、前記第１吸収体コア及び前記第２吸収体コアのピボット運動を促進するように構成されることを特徴とする請求項９に記載の吸収性物品。
【請求項１８】
前記中央区域は、縦方向に前記第２吸収体コアに沿って延び、その両側の側部が凹形となり、該凹形の両側の側部に隣接した対応する配置のために、前記横区域が凸面を有するようにされることを特徴とする請求項１３に記載の吸収性物品。
【請求項１９】
縦方向長さを定める吸収性物品であって、
流体透過性トップシートと、
中央の第２吸収体コアに隣接して配置され、前記中央の第２吸収体コアに対して前記縦方向長さに沿ってピボット運動可能である第１吸収体コアと、
前記第２吸収体コアに隣接して配置され、前記第２吸収体コアに対して前記縦方向長さに沿ってピボット運動可能である第３吸収体コアと、
を備え、
前記第１、第２、及び第３吸収体コアは、前記流体透過性トップシートと前記流体不透過性バックシートとの間に囲まれ、前記第２吸収体コアは、少なくとも２つの別個の吸収体コア区域を定め、前記コア区域は、前記流体透過性トップシートと係合する身体対向面を定め、
流体管理のために前記吸収体コアとコア区域との間に流体チャネル手段が配置された、
ことを特徴とする吸収性物品。
【請求項２０】
前記吸収性物品が縦方向に延びる側部を定め、前記側部が弾性部材を含むことを特徴とする請求項１３に記載の吸収性物品。
【発明の詳細な説明】
【技術分野】
【０００１】
本開示は、一般に、使い捨て吸収性物品に関し、より詳細には、流体連通状態の複数の吸収体コアを有する使い捨て吸収性物品に関する。
【背景技術】
【０００２】
例えば、使い捨ておむつ、成人失禁用パッド、生理用ナプキン、パンティライナ、失禁用衣類等といった吸収性物品は、通常は、乳児又は失禁症の成人によって衣類と協同して装着され、身体表面等に接触するように配置される。吸収性物品は、例えば、血液、月経分泌物、尿、水性体液、粘液、細胞残骸等のような体液排出物を収集し、吸収するため等に用いられる。例えば、吸収性物品は、人の脚の間の股領域に隣接して配置することができる。吸収性物品は、衣類に置かれ、流体排出物を収集するために股領域の身体表面と係合されることになる。
周知のように、吸収性物品は、典型的には、身体表面と係合するための流体透過性カバーストックと、流体不透過性バックシートと、それらの間に支持される吸収体コアとを含む。バックシートは、衣類への流体の漏れを防止するための防湿層として働く。吸収体コアは、普通は、身体表面に対面する液体保持材料を含む。吸収体コアは、流体排出物を捕集し、保持するための木材パルプのような、ふわっと形成されたセルロース繊維を含むことができる。
【０００３】
吸収体コアは、流体排出物を吸収し、失禁用パッドのような成人用吸収性物品については、尿のような大量の流体を取り扱うために相当に厚く作られることがある。しかしながら、吸収体コアは、それらの寸法及び嵩のために不適当に厚くされることがある。これらの吸収性物品の欠点の１つは、厚いおむつ状の外観であり、成人着用者にとっては恥ずかしいものである。
より最近では、嵩高さを克服するために、他の吸収性物品、特に婦人用パッド、生理用ナプキン、パンティライナ、失禁用衣類等の他の吸収性物品は、長く、狭く、かつ比較的平らに製造されている。これらの吸収性物品は、身体表面の輪郭に接触して緊密に装着され、下着によって一定位置に保持されるように設計される。しかしながら、これらの設計の幾つかは、それらが身体表面の輪郭に適合する際に、例えば、束状になったり、縄状になったり、皺寄り等によって不本意に変形する傾向がある。吸収性物品の不本意な変形により、設計の非能率に起因する流体排出物の漏れが引き起こされることがある。
さらに、流体排出物の漏れは、典型的には、吸収体コアの過飽和によるものではなく、溜まった流体排出物が流出することによるものである。すなわち、排泄のような流体の排出中に、尿がカバーストックに蓄積されて、吸収体コアに浸透する前に水溜りを形成することがよくある。吸収性物品が不本意に変形され、水溜りが生じる場合には、コアが束になるために尿が吸収されないことがある。したがって、流出が起こり、その結果として吸収性物品からの早過ぎる漏れが生じる。
【０００４】
着用性が改善された吸収性物品を提供するための試みがなされている。幾つかの設計は、その縦方向の側部に沿って弾性要素を組み入れる弓形形状のパッドを提供するものである。例えば、米国特許第４，７０１，１７７号及び同第４，７７０，６５７号を参照されたい。他の設計は、トップシートの縦方向縁部に沿って対をなすエンボス加工列を用いることによって、漏れを防止することを試みるものである。例えば、米国特許第４，６５５，７５９号を参照されたい。さらに、他の設計は、砂時計形状を用いるものである。例えば、米国特許第５，０３２，１２１号を参照されたい。しかしながら、このタイプの設計は、流体管理を促進させるために製品及び吸収体コアの変形に適切に対処するものではない。これらの従来の設計は、吸収性能を妨げることがある不本意な変形を適切に防止できるものではない。不本意な製品変形は、吸収性物品の所望の形状を変化させて、早過ぎる漏れを生じさせることがある。
したがって、別個のものであり、かつ流体連通している複数のコアを含む吸収性物品を提供することによって、従来技術の欠点及び難点を克服することが望まれる。この吸収性物品は、不本意な製品変形を防止し、それにより吸収性能を改善すると考えられる。この吸収性物品はさらに、身体表面の輪郭に適合し、流体排出物の迅速な分散を可能にすると考えられる。
【発明の開示】
【０００５】
したがって、別個のものであり、かつ流体連通している複数のコアを含む吸収性物品が開示される。吸収性物品は、吸収性能の改善のために、不本意な製品変形を防止するように構成される。吸収性物品は、身体表面の輪郭に適合することができ、有利な流体管理を通じて、流体排出物を迅速に分散させることができる。
本開示の目的及び利点は、一部がここに記載され、一部はその記載から自明であるか、又は本開示を実施する過程で知得することができ、それは、ここで図示され説明されたその構成部材、構造、配置、組み合わされる段階及び改善点からなる、本開示の装置及び方法に関して添付の請求項において指摘された手段及び組み合わせによって実現され、達成されるものである。
【０００６】
吸収性物品は、複数の区分とコア区域とを含むことができる。区分及びコア区域は、均等に離間され、トップシートとバックシートとの間に挟み込まれる。コア区域は、例えば、木材パルプ繊維、超吸収体ポリマー粒子等のような流体保持材料を含むことができる。吸収体障壁をもつリザーバの形成を促進して、吸収体コアが過剰の流体を吸収するまで大量の排泄物を管理できるようにするために、捕集層又は弾性体を吸収性物品の縦方向側部に沿って配置することが想定されている。別々の吸収体区分及びコア区域は、不本意な変形に抵抗するために、弾性体と協同して吸収体コア内にばね状のヒンジを形成する。その結果として、所望の形状に折り曲がって、快適な、改善された吸収防護力及び構造的可撓性を与える吸収性物品がもたらされる。
有利なことに、流体透過性チャネルを形成して、区分及びコア区域を分離し、吸収性物品から漏れた流体排出物の溢流部分をチャネルに通すことができる。チャネルは、流体が吸収体材料の全体にわたって移動できるようにする。この形状は、流体保持を有利に改善し、その結果として、溢流を少なくし、より均等な流体分布を与える。チャネルはまた、吸収性物品がバケット状の形状に折り曲がるのを促進して、区分とコア区域との間の障壁を形成することができる。
【０００７】
本開示の原理によれば、１つの特定の実施形態において、流体透過性トップシートと、第２吸収体コアとは別個のものであり、かつ該第２吸収体コアに流体連通している第１吸収性コアと、を含む吸収性物品が提供される。第２吸収体コアは、第３吸収体コアとは別個のものであり、かつ該第３吸収体コアに流体連通している。第１、第２及び第３吸収体コアは、流体透過性トップシートと、流体不透過性バックシートとの間に支持される。第２吸収体コアは、流体連通した状態の少なくとも２つの別個の吸収体コア区域を定める。別個の吸収体コア区域は、流体透過性トップシートと係合する身体対向面を定める。吸収体コアは、流体を流すチャネルによって分離される。吸収体コア区域もまた、流体を流すチャネルによって分離される。
別の実施形態においては、吸収性物品は、縦方向の長さを有し、流体透過性トップシートと、中央の第２吸収体コアの側部に隣接して配置され、かつ該第２吸収体コアに対して縦方向長さに沿ってピボット運動可能である第１吸収体コアとを含む。第１吸収体コアは、第２吸収体コアとは別個のものであり、かつ該第２吸収体コアに流体連通している。第３吸収体コアは、第２吸収体コアの反対側の側部に隣接して配置され、該第２吸収体コアに対して縦方向長さに沿ってピボット運動可能である。第３吸収体コアは、第２吸収体コアとは別個のものであり、かつ該第３吸収体コアに流体連通している。第１、第２及び第３吸収体コアは、流体透過性トップシートと流体不透過性バックシートとの間に囲まれる。第２吸収体コアは、中央区域と、該中央区域の両側に配置された横区域とを有する。中央区域と横区域は、別個のものであり、かつ流体連通しており、流体透過性トップシートと係合する身体対向面を定める。さらに別の実施形態においては、流体を流すチャネルが、流体管理のために吸収体コアとコア区域との間に配置される。
【発明を実施するための最良の形態】
【０００８】
本開示の対象及び特徴は、特に添付の請求項に記載される。本開示は、その構成及び作動方法について、さらなる目的及び利点と共に、以下の詳細な説明を付属の図面と併せて読むことによって理解されるであろう。
吸収性物品の例示的な実施形態及び開示された使用方法は、流体吸収性物品について、より詳細には、吸収性物品を装着している人に最大の防護及び快適さを与える複数の吸収体コアをもつ構成について説明される。本開示の原理に係る吸収性物品は、例えば、縄状になったり、束状になったり、破断、皺寄り等のような不本意な製品変形を防止すると考えられる。それにより、ここで開示される物品は、例えば、血液、月経分泌物、尿、水性体液、粘液、細胞残骸等といった流体排出物の早過ぎる漏れ、溢流などを避ける。吸収性物品は、使い捨ておむつ、成人失禁用パッド、婦人用パッド、生理用ナプキン、パンティライナ、失禁用衣類などに用いることができると考えられる。さらに、本開示はまた、寝具及び家具アンダーパッド、創傷被覆材等に用いることができると考えられる。
以下の説明においては、「身体対向面」という用語は、身体表面の方に向けられた構造体の部分のことをいい、「衣類対向面」とは、衣類の方に向けられた構造体の部分のことをいい、典型的には身体対向面の反対側であり、そう呼んでもよい。ここで用いられる「身体表面」という用語は、人からの流体排出物を収集し、吸収すること等のために吸収性物品が配置される、人の身体の部分のことをいう。
以下の記述は、吸収性物品の詳細な説明、そして本開示に係るその使用方法の詳細な説明である。ここで、付属の図面に示されている本開示の例示的実施形態について詳細に言及する。
【０００９】
ここで、幾つかの図面を通じて同じ構成材が同じ参照番号で示されている図面を参照する。最初に図１−図３を参照すると、本開示の原理に従って形成された、流体透過性トップシート１２を含む吸収性物品１０が示されている。吸収性物品１０はさらに、第２吸収体コア１６とは別個のものであり、かつ第２吸収体コア１６に流体連通している第１吸収体コア１４を含む。第２吸収体コア１６は、第３吸収体コア１８とは別個のものであり、かつ第３吸収体コア１８に流体連通している。第１吸収体コア１４、第２吸収体コア１６及び第３吸収体コア１８は、トップシート１２と流体不透過性バックシート２０との間に支持される。
第２吸収体コア１６は、中央区域２２と、対をなす両側の横区域２４とを定め、トップシート１２と係合するように構成された身体対向面２６を定める。吸収性物品１０は、不本意な製品変形を防止して、吸収性能を改善し、それにより流体放出に起因する早過ぎる漏れ、溢流などを避けるように有利に構成される。最も有利なことには、吸収性物品１０は、身体表面の輪郭に適合し、後で説明するように、その流体管理機能を通じて流体排出物を迅速に分散させることができる。
第１吸収体コア１４、第２吸収体コア１６及び第３吸収体コア１８は、吸収性物品１０の縦方向長さに沿って配置される。図３に示されるように、吸収性物品１０は、平坦な形状に広げて縦軸ｘを定めることができる。吸収体コア区域２２、２４は、縦軸ｘを実質的に横断する軸ｙに沿って配置される。トップシート１２及びバックシート２０は、説明されるように、吸収体コア１４、１６、１８及び吸収体コア区域２２、２４間に流体透過性チャネル２８を定める。チャネル２８は、コアのみ又はコア区域のみの間に配置することができ、又はそうでなければ、特定の吸収性物品の用途の要求に従って、吸収性物品１０の所定領域を分離するために配置することができる。
【００１０】
チャネル２８は、身体表面（図示せず）に対する吸収性物品１０の可撓性を助けるように構成される。チャネル２８は、吸収体コア１４、１６、１８のより多くの吸収性媒体を利用して漏れを防ぐために、流体の流れを外向きに吸収性物品１０の縦方向側部３０に分散させる利点をもたらす。チャネル２８の形成は、身体表面の輪郭への吸収性物品１０の適合を容易にし、流体排出物の迅速な分散を可能にする。これは、快適さ、改善された吸収防護力、及び構造的可撓性のために、所望の形状に折り曲がる吸収性物品を提供する。或いは、チャネル２８の向きは、特定の吸収力用途の要求に応じて、例えば内部領域などのような吸収性物品１０における色々な位置に向けることができることも想定されている。
吸収性物品１０は、排出された体液の流体保持が可能なように考えられる。より具体的には、吸収性物品１０は、流体の漏れ及び溢流を防止し、不本意な変形に抵抗するために、中でも、吸収力及び身体適合機能をもつ使い捨て吸収性装置となるようにすることが想定されている。中でも、本開示から実現される上記の利点は、以下に説明するような身体表面に柔軟に適合する開示された吸収性物品１０によって達成される。本開示のこれらの特徴は、排出された流体の流体保持を促進し、後の溢流を防止するという利点をもたらす。
【００１１】
トップシート１２は、吸収体コア１４の身体対向面３２、吸収体コア１６の身体対向面２６、及び吸収体コア１８の身体対向面３４に隣接して配置され、人の身体表面に接触して装着されるように構成される。使用の際に、トップシート１２は、体液透過性及び弾性があり、比較的吸収せず、流体排出物を吸収体コア１４、１６、１８に向けるように構成される。そして、トップシート１２は、流体排出物を容易に透過させる。さらに、トップシート１２は、身体表面に隣接する比較的乾いた表面を与えるために、その構造体中に最小限の流体を保持するか又は保持しないものとする。また、快適さ及び人への順応性をもつように設計される。
トップシート１２は、流体排出物が容易に透過する織成又は不織の天然又は合成材料から製造することができる。トップシート１２は、表面２６、３２及び３４をカバーするのに十分な幅をもつ単一材料シートである。トップシート１２は、多層カバーストックを含むことができることも想定されている。
トップシート１２は、吸収体コア１４、１６及び１８より大きい表面積に重なり且つカバーして、トップシートの外縁部３８を形成する。外縁部３８は、バックシート２０にシールされて、吸収体コア１４、１６及び１８を完全に取り囲む。さらに、トップシート１２は、特定の吸収体コアの一部の上にのみ配置することができると考えられる。トップシート１２は、使用される吸収体コアの１つ又は全ての上に配置することができると考えられる。トップシート１２は、例えば、ポリエチレン（ＰＥ）、ポリプロピレン（ＰＰ）、二成分繊維（ＰＥ／ＰＥＴ又はＰＥ／ＰＰのような）、ポリエステル（ＰＥＴ）等のような熱可塑性ポリマーの繊維又はフィラメントから製造することができる。トップシート１２はまた、当業者には公知のように、吸収体コアの中に流体を直ちに通過させることができるようにする他の材料から形成することもできる。
【００１２】
バックシート２０は、吸収体コア１４の衣類対向面４０、吸収体コア１６の衣類対向面４２、及び吸収体コア１８の衣類対向面４４に隣接して配置される。バックシート２０は、通常は、身体表面から遠い方向に、人が着用する下着の方に面する。
バックシート２０は、吸収性物品１０からの流体排出物の通過を防止しながら、吸収性物品１０からの空気及び蒸気の通過を可能にする。バックシート２０は、例えば、ポリエチレン、ポリプロピレン、セロハン、微孔性フィルム、ＳＭＳ（スパンボンド−メルトブローン−スパンボンド）等のようなポリマーフィルムといった流体不透過性材料から、又はエーテル−ビニル−アセテートポリエチレン共押出しフィルムのような二成分フィルムから製造することができる。処理された材料としてはまた、撥流体性含浸紙又は不織布などを用いることもできる。しかしながら、当業者には公知の他の材料を用いることもできる。
バックシート２０は、吸収体コア１４、１６、１８を取り囲むためにトップシート外縁部３８に取り付けられるバックシート外縁部４６をもつのに十分な表面積を延びる。外縁部３８、４０は、感圧性接着剤、感熱性接着剤、超音波によって、又は流体排出物が外縁部３８、４０を超えて、その後吸収性物品１０から流出するのを防止する他の公知の接合手段によって接合することができる。
【００１３】
外縁部３８、４０のシール係合は、吸収性物品１０の辺縁部まわりを連続的に延びる。しかしながら、シール係合は、不連続的なもの、千鳥状のもの等であってもよいと考えられる。外縁部３８、４０は、身体の動きによって容易に変形して、隣接する身体領域と係合する柔軟な曲げやすい形状をもち、吸収性物品１０に快適な品質を付与する。外縁部３８、４０は、コア１４、１６、１８から様々な長さに延びることができ、或いは、吸収性物品１０は、縁部３８、４０を含まなくてもよい。
吸収体コア１４、１８は、吸収体コア１６の両側に配置され、それらはチャネル２８を介して接続される。吸収体コア１４、１８は、身体表面に隣接して配置するのを助けるために、吸収体コア１６に対して縦方向に吸収性物品１０に沿って配置される。吸収性物品１０の縦方向形状は、人の腿領域の間に配置することを可能にし、引き上げられて股領域をカバーすることができる。
【００１４】
吸収体コア１４、１８は、対応する吸収体コア１６の表面と整列させるための直線的な縁部４８を有する。それらの外側の端部において、吸収体コア１４、１８は、弓形の縁部５０を有する。縁部４８、５０はまた、身体表面に適合するために可撓性である。吸収性物品１０、及び吸収体コア１４、１６、１８のそれぞれは、例えば、長方形、楕円形、砂時計形などといった種々の形状及び寸法に製造することができると考えられる。吸収体コア１４、１６及び１８は、柔軟であり、人に適合するように構成される。
吸収体コア１４、１６及び１８は、流体排出物を吸収し、保持することができる材料、例えば、セルロース繊維、木材パルプ、再生セルロース、綿繊維、酢酸セルロース、又はパルプと他の繊維とのブレンドといった親水性材料から製造される。特定の吸収力用途の要求に従って、例えば、親水コロイド材料、架橋アクリレートポリマー等のような高い液体保持特性を有する超吸収体ポリマー材料を加えることによって、吸収体コアの寸法に起因する吸収性物品１０の嵩を減らすことができる。超吸収体ポリマー粒子は、望ましくは粒状形態で吸収体コア１４、１６、１８の中に行き渡らせることができる。使用される超吸収体ポリマー粒子は、３から８グラムまでの範囲内であるが、他の範囲も想定されると考えられる。
【００１５】
表面２６（以下に説明されるように）、３２、３４は、吸収体コア１４、１６、１８に流体排出物を移送する一助となる捕集層を含むことができる。この層は、エンボス加工された又は吸収体コアに付着されたティッシュ層を含むことができる。他の捕集層は、接着結合ポリエステル（ＡＢＰＥＴ）、通気結合二成分（ＴＡＢＩＣＯ）繊維、３−Ｄ穿孔フィルム、３−Ｄ穿孔フィルム及び不織材（二重層）、高デニールスパンボンドポリプロピレン、ケミカルボンド不織材などを含む。吸収体コア１４、１６、１８はまた、化学的に又は物理的に修飾することができる。吸収体コアは、こうした材料を、空気堆積材料、クリープセルロース填綿、メルトブローンポリマー、ティッシュ層、ティッシュラップ、ティッシュラミネート、発泡体、スポンジ、ジェル材料等のような他の天然及び合成材料と組み合わせて含むことができると考えられる。
【００１６】
吸収性物品用途の特定の要求に応じて、吸収体コア１４、１６、１８が種々のキャリパ区域、親水性勾配、超吸収体勾配、低密度捕集区域、多層又は構造体等を有する別の設計も想定される。
第２吸収体コア１６は、中央区域２２と横区域２４とを含む。中央区域２２は、吸収性物品１０に沿って縦方向に延びる。中央区域２２は、対応して横区域２４の凸面側部と整列される両側の凹面側部５２を含む。中央区域２２は、横区域２４に隣接して配置され、トップシート１２及びバックシート２０と協同してチャネル２８を形成する。凹面側部５２及び凸面側部５４は、チャネル２８の境界を定め、実質的に可撓性である。この形状は、身体表面への適合を助け、吸収性物品１０の望ましくない変形を防止するという利点をもたらす。
チャネル２８は、身体表面への輪郭適合、及び身体に対する吸収性物品１０の所望の変形を助けるように構成される。チャネル２８は、過剰の流体排出物の流れを外側の端部３８、５０に分散させ、それにより、漏れによる失敗が起こる前に、必要に応じてより多くの吸収体コア材料を使用できるようにする。チャネル２８は、装着中に身体表面と共に動くことによって、吸収性物品１０がこれらの利点を達成するのを助ける。チャネル２８の形状は、吸収性物品１０が流体を迅速に分散させ、有効な流体管理を行うことを可能にする。
【００１７】
チャネル２８は、それらを結合する構造部品材料を含むが、それらは他の吸収体材料を含んでもよい。チャネル２８は、吸収力用途の特定の要求に応じて、例えば、円形、長方形、多角形の断面等といった種々の寸法及び形状をもつことができると考えられる。チャネル２８はさらに、吸収性物品１０の種々の部分に隣接して配置することができ、又はそうでなければ、千鳥状、ミシン目状などとしてもよい。
吸収性物品１０は、縦方向側部３０に配置された弾性部材５６を含む。弾性部材５６は、吸収性物品１０の平坦な形状を望ましく変形するように構成される。この望ましい変形は、吸収体コア１４及び１８を互いに吸収体コア１６に向けて弾性的に引っ張る。この吸収性物品１０の弾性的傾向は、カップ又はバケット形の形状を形成し、それはさらに、それらの間に形成された中央区域２２、横区域２４及びチャネル２８によって促進される。弾性部材５６が吸収体コア１４及び１８を身体表面に向けて引っぱる際に、横区域２４もまた、中央区域２２に対し身体表面に向けて引っぱられる。
【００１８】
種々の長さの弾性体を用いることができると考えられる。さらに、種々の幅、個々のストランド又は糸、円形、四角形又は長方形の形状、ひとまとめにされた複数のストランド等を用いることができると考えられる。特定の吸収性物品用途の要求に応じて、弾性部材５６の弾性度、剛性度、及び可撓性度を変えることができる。弾性部材５６はまた、弾性脚部ギャザーを形成して、人の腿の付近にカフス状の形状を形成することができる。弾性部材は、例えば、ヒートシール可能及び熱収縮可能なラテックス、ポリウレタン、スパンデックス、弾性発泡体等のような合成又は天然ゴムといったどんな適切な材料から製造することもできる。スロットコーティング、螺旋スプレー、メルトブローン又は他の接着方法を用いて、弾性部材５６を吸収性物品１０に固定することができると考えられる。
弾性部材５６は、縦方向側部３０に配置され、形成されたカップ形状によって、チャネル２８と共同してリザーバを有利に与える。これらのリザーバは、吸収体障壁を与えて、吸収性物品１０によって大量の流体排出物が管理されるようにする。この形状は、吸収体コア１４、１６及び１８が適切な時間だけ流体排出物の流体保持を実行できるようにする。
【００１９】
弾性部材５６は、チャネル２８と共に、別個の吸収体コア１４、１６、１８及び吸収体コア１６の別個のコア区域２２、２４間の障壁を定める。この形状は、吸収性物品１０内のばね状のヒンジを与え、その結果として使用中の不本意な変形に対する抵抗性をもたらす。吸収性物品１０は、快適さ、改善された吸収防護力、及び構造的可撓性を与える所望のパッド形状に折り畳まれるという利点を持つ。
別個の吸収体コア区域２２、２４は、三次元捕集フィルム層５８、６０及び６２を含む。層６０は、中央区域２２に取り付けられ、層５８、６２は横区域２４に取り付けられる。層６０は、下にある区域２２、２４と同様に、チャネル２８によって層５８、６２から分離される。したがって、層５８、６０、６２は、トップシート１２と協同してチャネル２８を形成する。層５８、６０、６２は、吸収体コア１６への流体排出物の流れを容易にする孔又はコーン６３を含む。したがって、層５８、６０、６２は、高体積及び高流速の流体排出物を管理し、移送し、適応し、及び／又は吸収体コア１６に向ける。層５８、６０、６２は、通気結合ウェブ、二成分不織ウェブ、セルロース繊維等とすることができると考えられる。層５８、６０、６２は、吸収体コア用途のために適切な構成接着剤のいずれかによって、定位置に接着剤で固定することができる。
【００２０】
バックシート２０は、吸収体コア１４、１６及び１８の衣類対向面４０、４２、４４に隣接して配置される防湿ラミネートである。バックシート２０は、該バックシートに取り付けられた剥離ストリップ６４を含む。剥離ストリップ６４は、吸収性物品１０を下着（図示せず）の股部外側に固定する。剥離ストリップ６４は、バックシート２０を下着（図示せず）に付着させる接着要素６６を含む。接着剤６６は、例えば、アクリル系接着剤等のような水ベースの接着剤といった感圧接着剤材料を含むことができると想定される。さらに、迅速に固まる熱可塑性接着剤、両面接着テープ、天然又は合成ゴムに基づく接着剤などを使用できると想定される。接着剤６６は、直線、四角、円等といった別の形状を含むことができると考えられる。
使用の際に、吸収性物品１０は、消費用途のために適切に用意され、殺菌され、パッケージされる。剥離ストリップ６４は、接着剤６６を露出させるために除去される。接着剤６６は、取り付けるために人の下着に係合接触させられる。吸収性物品１０は、下着と共に、人の股の間に配置される。吸収体コア１４及び１８は、人の前部及び後部の方に向けられ、吸収体コア１６は、股領域の真下に向けられる。吸収体コア１４及び１８は、弾性部材５６によって身体表面に向けて引っぱられる。チャネル２８は、ばね状ヒンジ構成で弾性部材５６と協同して可撓性を促進し、身体表面の付近にカップ状形状を形成する。使用中に、チャネル２８は、吸収性物品１０に可撓性を与えて、その不本意な変形を防止する。吸収体コア１４、１６、１８は、流体排出物を吸収し、保持する。他の使用方法も考えられる。
【００２１】
図４を参照すると、吸収性物品１１０の別の実施形態が示されている。図１−図３に関して説明される吸収性物品１０と同様の吸収性物品１１０は、吸収体コア１１４、１１６、１１８を含む。吸収体コア１１６は、別個のコア区域１２２、１２４を含む。吸収体コア１１４、１１６及び１１８は、説明されたのと同様の流体を流すチャネル１２８を定める。区域１２４の弓形表面に沿って配置された流体を流すチャネル１２８は、中央区域１２２の縦方向長さを超えて縦方向に延びる。したがって、横区域１２４は、中央区域１２２より大きい長さを有し、それにより大きな身体表面積に適応させることができる。この形状は、例えば、大きな腿表面積をもつ人のための用途において、その不本意な変形を防止するために、より大きな可撓性を吸収性物品１１０に有利に与える。
ここで開示された実施形態に種々の修正をなし得ることを理解されたい。したがって、上記の詳細な説明は、限定するものとしてではなく、種々の実施形態の単なる例示と解釈されるべきである。当業者であれば、添付の請求項の範囲及び精神の中での他の修正が想起されるであろう。
【図面の簡単な説明】
【００２２】
【図１】本開示の原理に係る吸収性物品の１つの特定の実施形態の側面斜視図である。
【図２】図１に示された吸収性物品の側面図であり、部分的には斜視図である。
【図３】図１に示された吸収性物品の平面図である。
【図４】図１に示された吸収性物品の別の実施形態の平面図である。
【図１】
2005527298.tif 000003
【図２】
2005527298.tif 000004
【図３】
2005527298.tif 000005
【図４】
2005527298.tif 000006
【国際調査報告】
2005527298.tif 000007
2005527298.tif 000008
2005527298.tif 000009
2005527298.tif 000010